(57)【要約】【課題】  締結時座金に設けた突起部を塑性変形させて、頭付ボルトの緩み止め機能を高め、かつ、頭付ボルトの締め忘れを目で見て容易に確認できること。【解決手段】  頭付ボルト２の軸部２１が挿通される挿通孔１１を有する板状の座金本体１０の上面部に凹所１２が形成されていると共に、凹所１２の底面内から座金本体１０の上面よりも上方に突出する突起部１３が複数個立設され、頭付ボルト２による所定の軸力で突起部１３を座金本体１０の上面と面一状となるように塑性変形させるようにした。【選択図】図１
0003118812.tif 000002
【実用新案登録請求の範囲】
【請求項１】
頭付ボルトの軸部が挿通される挿通孔を有する板状の座金本体の上面部に凹所が形成されていると共に、凹所の底面内から座金の上面よりも上方に突出する突起部が複数個立設され、頭付ボルトによる所定の軸力で上記突起部を座金本体の上面と面一状となるように塑性変形させることを特徴とする座金。
【請求項２】
座金本体の下面に頭付ボルトによる所定の軸力で被締結体に係合する複数の係合突片が突設されていると共に、座金本体の上面外周部に頭付ボルトの塑性変形部と係合して緩み止めする係合凹部が形成されていることを特徴とする請求項１に記載の座金。
【請求項３】
頭付ボルトの軸部が挿通される挿通孔を有する板状の座金本体の下面部に凹所が形成されていると共に、凹所の底面内から座金の下面よりも下方に突出する突起部が複数個立設され、これら突起部を軟化焼鈍などにより塑性変形可能な低硬度に設定して、頭付ボルトによる所定の軸力で上記突起部を座金本体と被締結物の上面との間で塑性変形させることを特徴とする座金。
【考案の詳細な説明】
【技術分野】
【０００１】  本考案は、頭付ボルトと被締結体との間に介装される座金に関する。
【背景技術】
【０００２】  従来、この種の座金としては、例えば頭付ボルトの軸部が挿通される挿通孔を有する板状の座金本体の下面に菊模様の係合溝が形成された構成となっている。そして、ネジの締結時、頭付ボルトの頭部下面を座金を介して被締結体に押し付け、その圧接抵抗で緩み止めを行うようになされている。
【考案の開示】
【考案が解決しようとする課題】
【０００３】  ところが、上記した座金のように、単に頭付ボルトの座金を介する被締結体への押し付けによる緩み防止構造では、振動や何らかの外力がかかった場合に緩みが発生し易いものであり、また、頭付ボルトを締め忘れたときに、これを目で見て容易に確認することができない問題を有していた。【０００４】  そこで、本考案は、締結時座金に設けた突起部を塑性変形させて、頭付ボルトの緩み止め機能を高めることができ、その上、頭付ボルトの締め忘れを目で見て容易に確認できる座金の提供を課題とする。
【課題を解決するための手段】
【０００５】  上記した問題を解決するために、本願の請求項１に記載の考案は、頭付ボルトの軸部が挿通される挿通孔を有する板状の座金本体の上面部に凹所が形成されていると共に、凹所の底面内から座金の上面よりも上方に突出する突起部が複数個立設され、頭付ボルトによる所定の軸力で上記突起部を座金本体の上面と面一状となるように塑性変形させることを特徴とする。【０００６】  また、本願の請求項２に記載の考案は、上記した請求項１に記載の構成における座金本体の下面に頭付ボルトによる所定の軸力で被締結体に係合する複数の係合突片が突設されていると共に、座金本体の上面外周部に頭付ボルトの塑性変形部と係合して緩み止めする係合凹部が形成されていることを特徴とする。【０００７】  さらに、本願の請求項３に記載の考案は、頭付ボルトの軸部が挿通される挿通孔を有する板状の座金本体の下面部に凹所が形成されていると共に、凹所の底面内から座金の下面よりも下方に突出する突起部が複数個立設され、これら突起部を軟化焼鈍などにより塑性変形可能な低硬度に設定して、頭付ボルトによる所定の軸力で上記突起部を座金本体と被締結体の上面との間で塑性変形させることを特徴とする。
【考案の効果】
【０００８】  本考案の請求項１に記載の考案によれば、座金本体の上面部に凹所が形成されていると共に、凹所の底面内から座金の上面よりも上方に突出する突起部が複数個立設され、頭付ボルトによる所定の軸力で上記突起部のみが座金本体の上面と面一状に塑性変形するように構成したから、締結時座金に設けた突起部を塑性変形させて、頭付ボルトの緩み止め機能を高めることができ、その上、頭付ボルトの頭部下面と座金上面との密着を目視で確認することにより、つまり、頭付ボルトの締め忘れ時には、頭付ボルトの頭部下面と座金との間に隙間が生じているのでその密着を確認することにより、頭付ボルトの締め忘れを目で見て容易に確認できる。【０００９】  また、請求項２に記載の考案によれば、座金本体の下面に頭付ボルトによる所定の軸力で締結物に係合する複数の係合突片が突設されていると共に、座金本体の上面外周部に頭付ボルトの塑性変形部と係合して緩み止めする係合凹部が形成されているから、係合突片の締結物への係合と、係合凹部への頭付ボルトの塑性変形部の係合とにより一層頭付ボルトの緩み止め機能を高めることができる。【００１０】  さらに、請求項３に記載の考案によれば、頭付ボルトの軸部が挿通される挿通孔を有する板状の座金本体の下面部に凹所が形成されていると共に、凹所の底面内から座金の下面よりも下方に突出する突起部が複数個立設され、これら突起部を軟化焼鈍などにより塑性変形可能な低硬度に設定して、頭付ボルトによる所定の軸力で上記突起部を座金本体と被締結体の上面との間で塑性変形させるように構成したから、締結時座金に設けた突起部を塑性変形させることにより、頭付ボルトの緩み止め機能を高めることができ、しかも、頭付ボルトの回転による締め付けに際して、頭付ボルトと座金とが共回りすることなく頭付ボルトのみを回転させることができ、その上、被締結体の上面と座金下面との密着度を目視で確認することにより、つまり、頭付ボルトの締め忘れ時には、被締結体の上面と座金下面との間に隙間が生じているのでその密着度を確認することにより、頭付ボルトの締め忘れを目で見て容易に確認できる。さらに、締付後には座金が被締結体にくっつくことになり、頭付ボルトを取り外した場合にも座金が被締結体から落ちることがない。
【考案を実施するための最良の形態】
【００１１】  以下、本考案の実施の形態を図に基づいて説明する。
図１、２は、本考案の座金１を用いて頭付ボルト２により被締結体３を固定部材（図示せず）に締結する状態を示す。座金１は、図１及び図３に示すように頭付ボルト２の軸部２１が挿通される挿通孔１１を有する円板状の座金本体１０の上面部に凹所１２が形成されていると共に、凹所１２の底面から座金１の上面よりも上方に突出する突起部１３が複数個立設され、かつ、これら突起部１３の硬度を座金本体１０の硬度よりも低く設定して、頭付ボルト２による所定の軸力で上記突起部１３みのが座金本体１０の上面と面一状に塑性変形するように構成されている。また、座金本体１０の上面外周部には後述する頭付ボルト２の薄肉で塑性変形可能な環状リング部２５と係合して緩み止めする係合凹部１４が形成されている。【００１２】  頭付ボルト２は、ねじ部２２を有する軸部２１と鍔部２３を備えた頭部２４とからなり、鍔部２１の下面には薄肉で塑性変形可能な環状リング部２５が設けられ、また頭部２４の上面には六角凹部２６が形成されている。３は貫通孔３１を有する板状の被締結体で、ねじ孔をもつ固定部材（図示せず）の取付面に頭付ボルト２により締結される。【００１３】  次に、上記した座金の作用について説明する。
図１に示すように固定部材（図示せず）のねじ孔に被締結体３の貫通孔３１と座金１０の挿通孔１１とを位置合わせして３者を重ね合わせる一方、頭付きボルトの軸部２１を座金１の挿通孔１１から被締結体３の貫通孔３１を介して固定部材のねじ孔に差し込み、六角凹部２６に係合する締結レンチ（図示せず）を用いて頭付ボルト２を締め付け方向に回転させて、頭付ボルト２のねじ部２２を固定部材のねじ孔にねじ込んで座金１を介し被締結体３を固定部材に締結する。【００１４】  この締結時、座金１には、その座金本体１０の上面部に凹所１２が形成されていると共に、凹所１２の底面内から座金１の上面よりも外方に突出する突起部１３が複数個立設され、かつ、これら突起部１３の硬度を座金本体１０の硬度よりも低く設定されているから、頭付ボルト２による所定の軸力で図２に示すように上記突起部１３みのが座金本体１０の上面と面一状に塑性変形することになる。これにより、頭付ボルト２の緩み止め機能を高めることができ、その上、頭付ボルト２の頭部２４下面と座金１上面との密着具合を目視で確認することにより、つまり、頭付ボルト２の締め忘れ時には、頭付ボルト２の頭部２４下面と座金１との間に隙間が生じているのでその密着を確認することにより、頭付ボルト２の締め忘れを目で見て容易に確認できる。【００１５】  また、図４は、上記した実施形態の座金１の構成に加えて、座金本体１０の下面に頭付ボルト２による所定の軸力で締結物３に係合する複数の係合突片１５が突設されたものである。
この構成によれば、締結時に係合突片１５が締結物３に食い込んで係合することにより、座金１の締結物３に対する回転を阻止してより一層頭付ボルト２の緩み止め機能を高めることができる。【００１６】  さらに、座金１の突起部１３は頭付ボルト２の所定の軸力にて塑性変形するため、締結レンチとして、例えばマーキングレンチを用い、締結物３と頭付ボルト１の高さＨ２の測定で定点に達するとマーキングレンチより締結完了の塗料が頭付ボルト２の頭部２４の六角凹部２６内又は上面に吹き付つけて塗着するようにしてもよい。【００１７】  このように、締結完了時塗料が吹き付けられるようにすれば、頭付ボルト２の頭部２４上面における塗料の有無を目視により検査することにより頭付ボルト２の締め忘れを直ちに確認することができる。【００１８】  また、図５及び図６は、座金の別の実施の形態を示すもので、この座金１Ａは頭付ボルト２Ａの軸部２１Ａが挿通される挿通孔１１Ａを有する板状の座金本体１０Ａの下面部に凹所１２Ａが形成されていると共に、凹所１２Ａの底面内から座金本体１０Ａの下面よりも下方に突出する突起部１３Ａが複数個立設され、これら突起部１３Ａを軟化焼鈍などにより塑性変形可能な低硬度に設定して、頭付ボルト２Ａによる所定の軸力で上記突起部１３Ａを座金本体１０Ａと被締結体３Ａのト面との間で塑性変形させるように構成したものである。【００１９】  このように構成すれば、上述した先の実施の形態と同様の締付作業で締結した時、座金本体１０Ａの下部に設けた突起部１３Ａを塑性変形させて、頭付ボルト２Ａの緩み止め機能を高めることができ、しかも、頭付ボルト２Ａの回転による締め付けに際して、頭付ボルト２Ａと座金１Ａとが共回りすることなく頭付ボルト２Ａのみを回転させることができる。また、被締結体３Ａの上面と座金本体１０Ａの下面との密着を目視で確認することにより、つまり、頭付ボルト２Ａの締め忘れ時には、被締結体３Ａの上面と座金本体１０Ａの下面との間に隙間が生じているのでその密着度を確認することにより、頭付ボルト２Ａの締め忘れを目で見て容易に確認できる。さらに、締付後には座金１Ａが被締結体３Ａにくっつくことになり、頭付ボルト２Ａを取り外した場合にも座金１Ａが被締結体３Ａから落ちることがなく使い勝手がよい。【００２０】  なお、頭付ボルト２，２Ａは上記した実施の形態のように頭部２４の上面に六角凹部２６を形成したものを用いる他、六角頭部をもつ頭付ボルトであってもよいことは勿論である。
【図面の簡単な説明】
【００２１】
【図１】  本考案に係る座金の使用状態を示す一部縦断面図である。
【図２】  同座金の締結状態を示す一部縦断面図である。
【図３】  座金の平面図である。
【図４】  別の実施形態を示す座金の使用状態を示す一部縦断面図である。
【図５】  さらに別の実施形態を示す座金の使用状態を示す一部縦断面図である。
【図６】  同座金の締結状態を示す一部縦断面図である。
【符号の説明】
【００２１】  １        座金
１Ａ      座金
１０      座金本体
１０Ａ    座金本体
１１      挿通孔
１１Ａ    挿通孔
１２      凹所
１２Ａ    凹所
１３      突起部
１３Ａ    突起部
２        頭付ボルト
２Ａ      頭付ボルト
２１      軸部
２１Ａ    軸部
【図１】
0003118812.tif 000003
【図２】
0003118812.tif 000004
【図３】
0003118812.tif 000005
【図４】
0003118812.tif 000006
【図５】
0003118812.tif 000007
【図６】
0003118812.tif 000008